(57)【要約】【課題】予め設定した充電完了設定時刻に電池を満充電状態で使用することができる充電回路を提供する。【解決手段】本発明の充電回路１は、外部電源３により内部電圧を生成する電源制御回路部６と、電源制御回路部６と電池２との間に設けられる制御トランジスタ９と、電池２の残容量を測定する電池容量測定部１０と、電池２の充電完了設定時刻を設定する時刻設定部１１と、電池２の残容量と電池２の充電完了設定時刻とに基づいて、制御トランジスタ９の導通状態を制御する制御部１２と、を備える。【選択図】図１
2010246176.tif 000002
【特許請求の範囲】
【請求項１】
外部電源により内部電圧を生成する電源制御回路部と、
前記電源制御回路部と電池との間に設けられる制御トランジスタと、
前記電池の残容量を測定する電池容量測定部と、
前記電池の充電完了設定時刻を設定する時刻設定部と、
前記電池の残容量と前記電池の充電完了設定時刻とに基づいて、前記制御トランジスタの導通状態を制御する制御部と、
を備える充電回路。
【請求項２】
前記制御部は、前記充電回路に前記外部電源が接続されると、前記電池の残容量に基づいて、予定充電時間を算出し、さらに前記充電完了設定時刻と前記充電回路に前記外部電源を接続した時刻とを減算した時間と前記予定充電時間とを比較して、前記充電完了設定時刻と前記充電回路に前記外部電源を接続した時刻とを減算した時間が前記予定充電時間より長いと、前記充電完了設定時刻と前記充電回路に外部電源を接続した時刻とを減算した時間から前記予定充電時間を減算して待機時間を算出し、前記待機時間経過後に前記電池の充電を開始するべく、前記制御トランジスタの導通状態を制御することを特徴とする請求項１に記載の充電回路。
【請求項３】
前記制御部は、前記待機時間が経過するまで、前記電源制御回路部と前記電池との接続を切り離すように、前記制御トランジスタの導通状態を制御することを特徴とする請求項２に記載の充電回路。
【請求項４】
前記制御部は、前記充電回路に前記外部電源が接続されると、前記電池の残容量に基づいて、予定充電時間を算出し、さらに前記充電完了設定時刻と前記充電回路に前記外部電源を接続した時刻とを減算した時間と前記予定充電時間とを比較して、前記充電完了設定時刻と前記充電回路に前記外部電源を接続した時刻とを減算した時間が前記予定充電時間より長いと、前記充電完了設定時刻から前記予定充電時間を減算して充電開始予定時刻を算出し、前記充電開始予定時刻に前記電池の充電を開始するべく、前記制御トランジスタの導通状態を制御することを特徴とする請求項１に記載の充電回路。
【請求項５】
前記制御部は、前記充電開始予定時刻になるまで、前記電源制御回路部と前記電池との接続を切り離すように、前記制御トランジスタの導通状態を制御することを特徴とする請求項４に記載の充電回路。
【請求項６】
前記制御部は、前記充電完了設定時刻と前記充電回路に前記外部電源を接続した時刻とを減算した時間が前記予定充電時間より短いと、前記電池の充電を開始するべく、前記制御トランジスタの導通状態を制御することを特徴とする請求項１乃至５のいずれか１項に記載の充電回路。
【請求項７】
前記制御トランジスタは、ｐチャンネル型ＭＯＳトランジスタであることを特徴とする請求項１乃至６のいずれか１項に記載の充電回路。
【請求項８】
前記制御トランジスタは、ｎチャンネル型ＭＯＳトランジスタであることを特徴とする請求項１乃至６のいずれか１項に記載の充電回路。
【請求項９】
充電回路に接続される電池の残容量と前記電池の充電完了設定時刻とに基づいて、前記電池への充電電流を制御する充電制御方法。
【請求項１０】
前記電池の残容量に基づいて、予定充電時間を算出し、
前記充電完了設定時刻と前記充電回路に外部電源を接続した時刻とを減算した時間と前記予定充電時間とを比較して、前記充電完了設定時刻と前記充電回路に外部電源を接続した時刻とを減算した時間が前記予定充電時間より長いと、前記充電完了設定時刻と前記充電回路に外部電源を接続した時刻とを減算した時間から前記予定充電時間を減算して待機時間を算出し、
前記待機時間経過後に前記電池の充電を開始するべく、前記電池への充電電流を制御することを特徴とする請求項９に記載の充電制御方法。
【請求項１１】
前記待機時間が経過するまで、前記外部電源により内部電圧を生成することを特徴とする請求項１０に記載の充電制御方法。
【請求項１２】
前記電池の残容量に基づいて、予定充電時間を算出し、
前記充電完了設定時刻と前記充電回路に外部電源を接続した時刻とを減算した時間と前記予定充電時間とを比較して、前記充電完了設定時刻と前記充電回路に外部電源を接続した時刻とを減算した時間が前記予定充電時間より長いと、前記充電完了設定時刻から前記予定充電時間を減算して充電開始予定時刻を算出し、
前記充電開始予定時刻に前記電池の充電を開始するべく、前記電池への充電電流を制御することを特徴とする請求項９に記載の充電制御方法。
【請求項１３】
前記充電開始予定時刻になるまで、前記外部電源により内部電圧を生成することを特徴とする請求項１２に記載の充電制御方法。
【請求項１４】
前記充電完了設定時刻と前記充電回路に前記外部電源を接続した時刻とを減算した時間が前記予定充電時間より短いと、前記電池の充電を開始するべく、前記電池への充電電流を制御することを特徴とする請求項９乃至１３のいずれか１項に記載の充電制御方法。
【発明の詳細な説明】
【技術分野】
【０００１】
本発明は充電回路及び充電制御方法に関する。
【背景技術】
【０００２】
現在、携帯電話装置は小型、薄型であるとともに、より高機能なものが求められている。ＬＣＤ（Liquid Crystal Display）の画面が大きくなったり、イルミネーションに趣向を凝らしたり、それぞれ特徴を持った携帯電話装置が発売されている。基本的な機能の通話、メールについては、ユーザーによっては１日に数十件の発着信がある場合もある。また、ＬＣＤ画面を表示したままにしておく等のユーザーの設定次第では、消費電流が多くなってしまうこともある。上記のように使用していると電池の消耗が激しく、夜になると毎日電池を充電するというユーザーが多い。充電をする場合、携帯電話装置にＡＣアダプタを接続し、約２時間で充電が完了するが、充電完了後は電池からの電源供給となり、その後多くのメール着信が有った場合、電池が減ってしまう。充電をして電池が一杯になっているはずで、あまり使用していないと思っているにもかかわらず、朝起きた時点で、電池が消耗していると思われる場合が多々あった。
【０００３】
図７に、関連する充電回路のブロック図を示す。充電回路はＡＣアダプタ３２が接続される充電用入力（＋）端子４、充電用入力（−）端子５、電池２が接続される電源用入力（＋）端子７、電源用入力（−）端子８を備える。さらに充電回路は、ＡＣアダプタ３２からの電源供給により電池２を充電する充電回路部６１、電池２からの電源供給により充電回路内部で使用する内部電源を生成し、供給する電源回路部６２、充電回路の動作状態を監視する制御部１２を備える。制御部１２は、充電回路全体を制御するＣＰＵ（中央処理装置）１２１と、当該ＣＰＵ１２１を機能させるための制御プログラムが記録されたＲＯＭ（リード・オンリー・メモリ）１２２と、を備える。電池電圧Ｖｂと、電源回路部６２に供給されるシステム電源電圧Ｖｓとは同じ電圧値となっている。
【０００４】
このような充電回路は、図８のように、ＡＣアダプタ３２が接続されると同時に充電が開始される。経過時間と共に電池電圧Ｖｂ及びシステム電源電圧Ｖｓは上昇し、約２時間で充電が完了し、電池電圧Ｖｂは４．２Ｖとなる。この後、当該充電回路を搭載する携帯電話装置にメール着信が有ると、システム電源電圧Ｖｓを通して、内部の回路動作で電流消費されるため、電池電圧Ｖｂは降下していく。充電が完了してから、ユーザーが携帯電話装置の使用を開始するまでの時間が長いと、電池が消耗している場合が多いという問題点があった。
【０００５】
そこで、特許文献１、２の充電回路は、ＡＣアダプタに接続した時の電子機器の電池残容量を測定し、当該電池残容量から予定充電時間を算出し、ユーザーが設定した充電完了設定時刻から当該予定充電時間を減算して、充電開始予定時刻を逆算している。
【先行技術文献】
【特許文献】
【０００６】
【特許文献１】特開２０００−２５３５９６号公報
【特許文献２】特開平８−２１４４１２号公報
【発明の概要】
【発明が解決しようとする課題】
【０００７】
特許文献１、２の充電回路は、単にタイマー等によって電池への充電を待機しているだけである。つまり、待機中は電池から電子機器に電源供給するため、当該電池が消耗し、電池電圧が低下する。電池残容量を測定し、充電開始予定時刻を導き出すのは、電子機器をＡＣアダプタに接続した直後であるので、その後、電池が消耗した場合は、電池の充電時間が長引いたり、それに伴い当該充電完了設定時刻に電池の充電が完了していなかったりする場合がある。
【０００８】
本発明の目的は、上述した課題を解決する充電回路及び充電制御方法を提供することにある。
【課題を解決するための手段】
【０００９】
本発明の充電回路は、外部電源により内部電圧を生成する電源制御回路部と、前記電源制御回路部と電池との間に設けられる制御トランジスタと、前記電池の残容量を測定する電池容量測定部と、前記電池の充電完了設定時刻を設定する時刻設定部と、前記電池の残容量と前記電池の充電完了設定時刻とに基づいて、前記制御トランジスタの導通状態を制御する制御部と、を備える。
【００１０】
本発明の充電制御方法は、充電回路に接続される電池の残容量と前記電池の充電完了設定時刻とに基づいて、前記電池への充電電流を制御する。
【発明の効果】
【００１１】
本発明によれば、予め設定した充電完了設定時刻に電池を満充電状態で使用することができる充電回路及び充電制御方法を提供することができる。
【図面の簡単な説明】
【００１２】
【図１】本発明に係る充電回路の構成を概略的に示すブロック図である。
【図２】本発明に係る充電制御方法を概略的に示すフローチャート図である。
【図３】（ａ）は、実施例１の充電回路及び充電制御方法における、電池電圧と時間との関係を示す図である。（ｂ）は、実施例１の充電回路及び充電制御方法における、システム電源電圧と時間との関係を示す図である。（ｃ）は、実施例１の充電回路及び充電制御方法における、充電制御信号と時間との関係を示す図である。
【図４】実施例２の充電回路及び充電制御方法における、電池電圧と時間との関係を示す図である。
【図５】実施例３の充電回路及び充電制御方法における、電池電圧と時間との関係を示す図である。
【図６】実施例４の充電回路及び充電制御方法における、電池電圧と時間との関係を示す図である。
【図７】関連する充電回路の構成を概略的に示すブロック図である。
【図８】関連する充電回路及び充電制御方法における、電池電圧（システム電源電圧）と時間との関係を示す図である。
【発明を実施するための形態】
【００１３】
本発明に係る充電回路及び充電制御方法の実施の形態について説明する。但し、本発明が以下の実施の形態に限定される訳ではない。また、説明を明確にするため、以下の記載及び図面は、適宜、簡略化されている。
【００１４】
＜実施の形態１＞
本実施の形態の充電回路１は、図１に示すように、例えば携帯電話装置等の電子機器に接続される電池２を、外部電源３からの電源供給によって充電するべく、当該電子機器内に搭載される。
【００１５】
この充電回路１は、充電用入力端子４、５、電源制御回路部６、電源用入力端子７、８、制御トランジスタ９、電池容量測定部１０、時刻設定部１１、制御部１２を備える。
充電用入力端子４、５は、外部電源３が接続される端子である。外部電源３は、ＡＣ電源供給部３１、ＡＣアダプタ３２を備える。すなわち、外部電源３は、ＡＣ電源供給部３１から供給されるＡＣ電源をＡＣアダプタ３２でＤＣ電源とする。ＡＣアダプタ３２の電源側は、充電用入力（＋）端子４に電気的に接続される。ＡＣアダプタ３２の接地電源側は、充電用入力（−）端子５に電気的に接続される。
【００１６】
電源制御回路部６は、外部電源３により内部電圧を生成する。電源制御回路部６は、充電回路部６１、電源回路部６２を備える。充電回路部６１は、外部電源３からの電源供給により電池２を充電する。なお、充電回路部６１は、外部電源３が充電用入力端子４、５に接続されたか否かを検出する接続検出部（図示省略）を備えており、当該接続検出部は外部電源３が充電用入力端子４、５に接続されたことを示す情報を制御部１２に出力する。電源回路部６２は、電池２又は充電回路部６１からの電源供給により充電回路１内部で使用する内部電源を生成し、供給する。
【００１７】
電源用入力端子７、８は、電池２が接続される端子である。電池２は、携帯電話装置等の電子機器に搭載されるバッテリである。電池２の正極側は、電源用入力（＋）端子７に電気的に接続される。電池２の負極側は、電源用入力（−）端子８に電気的に接続される。
【００１８】
制御トランジスタ９は、例えばｐチャンネル型ＭＯＳ（Metal Oxide Semiconductor）トランジスタである。制御トランジスタ９は、充電回路部６１と電源用入力（＋）端子７との間に接続される。つまり、制御トランジスタ９のソースは、充電回路部４に電気的に接続される。制御トランジスタ９のドレインは、電源用入力（＋）端子７に電気的に接続される。制御トランジスタ９のゲートは、制御部１２と電気的に接続される。この制御トランジスタ９は、詳細は後述するが、制御部１２からの充電制御信号Ｃｓにより、充電回路部６１から電池２へ充電が行われる。つまり、制御トランジスタ９は、制御部１２からの充電制御信号ＣｓがＬｏｗレベルの時、ＯＮとなり、充電回路部６１から電池２へ充電が行われる。制御トランジスタ９は、制御部１２からの充電制御信号ＣｓがＨｉｇｈレベルの時、ＯＦＦとなり、充電回路部６１と電池２との接続は切り離される。このとき、充電回路部６１から電源回路部６２へ、電池２の定格電圧と同レベルの電源電圧がシステム電源電圧Ｖｓとして供給される。
【００１９】
電池容量測定部１０は、電池２の残容量を測定する。電池容量測定部１０は、抵抗１０１、測定部１０２を備える。抵抗１０１の一方の端子は、電源用入力（−）端子８に電気的に接続される。抵抗１０１の他方側の端子は、接地端子に電気的に接続される。測定部１０２は、抵抗１０１の両側に電気的に接続される。これにより、測定部１０２は、電源用入力（−）端子８に接続された抵抗１０１の両端の電圧を測定し、電流値を算出することによって、電池２の残容量を測定する。測定部１０２は、測定結果を示す情報を制御部１２に定期的に出力する。
【００２０】
時刻設定部１１は、電池２の充電完了設定時刻を設定する。具体的に云うと、時刻設定部１１は、例えば携帯電話装置の表示部から電池２の充電完了設定時間の入力をユーザーに促し、テンキーボタン等を用いて入力される電池２の充電完了設定時刻を制御部１２に出力する。ちなみに、本実施の形態の時刻設定部１１は、タイマー部１１１を備える。タイマー部１１１は、制御部１２からの待機時間情報に基づいて動作し、待機時間経過後に制御部１２に待機時間経過情報を出力する。
【００２１】
制御部１２は、入力された電池２の残容量と当該電池２の充電完了設定時刻とに基づいて、制御トランジスタ９の導通状態を制御する。つまり、制御部１２は、詳細は後述するが、充電完了設定時刻に電池２の充電が完了するように、電池２への充電電流を制御する。
【００２２】
制御部１２は、充電回路、しいては電子機器全体を制御するＣＰＵ（中央処理装置）１２１、当該ＣＰＵ１２１を機能させるための制御プログラム等が格納されたＲＯＭ（リード・オンリー・メモリ）１２２を備える。制御部１２は、時計機能を有するリアルタイムクロック等を備えており、現在時刻がＲＯＭに格納される。
【００２３】
この制御部１２は、図２に示すように動作し、充電制御方法を実現する。
すなわち、ＣＰＵ１２１は、充電用入力端子４、５に外部電源３が接続されたことを示す情報が充電回路部６１から入力されると、ＲＯＭ１２２から充電用入力端子４、５にＡＣアダプタ３２が接続された時刻、即ち現在時刻を取得する（ステップＳ１）。ＣＰＵ１２１は、ＲＯＭ１２２から断続的に入力されている電池２の残容量を取得する。
【００２４】
ＣＰＵ１２１は、ＲＯＭ１２２から充電完了設定時刻を取得する（ステップＳ２）。
ＣＰＵ１２１は、電池２の残容量に基づいて、予定充電時間を算出する（ステップＳ３）。充電容量は「電流×時間」で決まるため、予定充電時間の算出は電池２の満充電時の容量と残容量とを減算して充電すべき電池の容量（充電電池容量）をまず算出する。そして、充電電池容量を充電電流値で割算することで予定充電時間を算出する。満充電時の電池容量は、ＲＯＭ１２２に格納されたものを使用する。
【００２５】
ＣＰＵ１２１は、充電完了設定時刻と充電用入力端子４、５にＡＣアダプタ３２を接続した時刻とを減算した時間と、予定充電時間と、を比較する（ステップＳ４）。
ＣＰＵ１２１は、充電完了設定時刻と充電用入力端子４、５にＡＣアダプタ３２を接続した時刻とを減算した時間が予定充電時間より長いと、充電完了設定時刻と前記充電回路に外部電源を接続した時刻とを減算した時間から予定充電時間を減算して待機時間を算出する（ステップＳ５）。
ＣＰＵ１２１は、待機時間情報を時刻設定部１１のタイマー部１１１に出力する（ステップＳ６）。
【００２６】
このとき、充電回路１は、電池２への充電が待機状態となる。制御部１２は、待機時間が経過するまで、充電回路部６１と電池２との接続を切り離すように、制御トランジスタ９の導通状態を制御する。つまり、電池２への充電の待機状態の時に、制御部１２は、制御トランジスタ９のゲートにＨｉｇｈレベルの充電制御信号Ｃｓを入力する。その結果、電池２と充電回路部６１との接続が切り離される。一方、外部電源３と充電回路部６１とは接続された状態が維持される。そのため、上述のように、充電回路部６１から電源回路部６２へ、電池２の定格電圧と同レベルの電源電圧がシステム電源電圧Ｖｓとして供給され、当該システム電源電圧Ｖｓで電子機器が動作することになる。したがって、充電回路及び充電制御方法は、電池２への充電が待機状態の時に当該電池２が消耗し、電池電圧が低下することがないので、電池の充電時間が長引いたり、それに伴い充電完了設定時刻から充電完了時刻が大幅にずれ込んで、電池２の充電が完了していなかったりすることがない。よって、予め設定した充電完了設定時刻に電池２を満充電状態で使用することができる。
【００２７】
電池２の待機時間の経過後、ＣＰＵ１２１には、タイマー部１１１から待機時間経過情報が入力される（ステップＳ７）。
ＣＰＵ１２１は、待機時間経過情報が入力されると、充電回路部６１と電池２とを接続するべく、制御トランジスタ９のゲートに与えるＬｏｗレベルの充電制御信号Ｃｓを生成し、当該制御トランジスタ９のゲートに出力する（ステップＳ８）。
【００２８】
一方、ＣＰＵ１２１は、充電完了設定時刻と充電用入力端子４、５にＡＣアダプタ３２を接続した時刻とを減算した時間が予定充電時間より短いと、すぐに電池２の充電を開始するべく、制御トランジスタ９のゲートに与えるＬｏｗレベルの充電制御信号Ｃｓを生成し、当該制御トランジスタ９のゲートに出力する。つまり、ＣＰＵ１２１は、ステップＳ４からステップＳ８に移行する。
【００２９】
なお、充電用入力端子４、５から外部電源３が取り外されると、充電回路部６１の接続検出部が充電用入力端子４、５から外部電源３が取り外されたことを示す情報を、バックゲート切替部（図示省略）に出力する。そして、バックゲート切替部は、制御トランジスタ９のソースとドレインとを逆に切り替える。これにより、充電回路１は、電子機器の内部回路として電池２からの電源供給によって駆動することになる。
【００３０】
上記実施の形態では、時刻設定部１１が備えるタイマー部１１１が待機時間を計測して、充電開始時刻になったか否かを判断しているが、この限りでない。つまり、制御部１２のＣＰＵ１２１は、充電完了設定時刻から予定充電時間を減算して充電開始予定時刻を算出する。そして、ＣＰＵ１２１は、ＲＯＭ１２２から取得した現在時間に基づいて、充電開始予定時刻になったか否かを判断し、充電開始予定時間となると、電池２の充電を開始するべく、制御トランジスタ９の導通状態を制御する。この場合も、制御部１２のＣＰＵ１２１は、充電開始予定時刻になるまで、充電回路部６１と電池２との接続を切り離すように、制御トランジスタ９の導通状態を制御する。
【００３１】
上記実施の形態では、充電完了設定時刻に丁度、電池２の充電が完了するように、制御部１２が制御トランジスタ９の導通状態を制御しているが、この限りでない。充電完了設定時刻に対して余裕をもって電池２の充電が完了するように、制御部１２が制御トランジスタ９の導通状態を制御しても良い。
【００３２】
上記実施の形態では、ユーザーがテンキーボタン等を用いて充電完了設定時刻を設定しているが、この限りでない。本発明の充電回路が搭載される電子機器が、例えば携帯電話装置などの場合、アラーム機能等の設定時刻が予め制御部１２のＲＯＭ１２２に格納されているので、当該アラーム機能等の設定時刻を充電完了設定時刻として用いても良い。
【００３３】
上記実施の形態では、ｐチャンネル型ＭＯＳトランジスタを制御トランジスタ９として用いたが、ｎチャンネル型ＭＯＳトランジスタも略同様に用いることができる。
上記実施の形態では、抵抗１０１を電池２の負極側に挿入しているが、正極側に挿入しても良い。
【００３４】
本発明は上記実施の形態に限られたものではなく、趣旨を逸脱しない範囲で適宜変更することが可能である。
【実施例】
【００３５】
＜実施例１＞
本実施例では、電池２の残容量が少ない場合の一例を示す。
図３に示すように、時刻（0:00）に外部電源３を接続したとき、制御部１２は、電池残容量から予定充電時間（２時間）を算出する。そして、制御部１２は、外部電源３の接続時刻（0:00）から充電完了設定時刻（6:00）までの６時間は予定充電時間（２時間）より長いので、待機時間を４時間と算出し、待機時間情報をタイマー部１１１に出力する。タイマー部１１１は、待機時間情報が入力されるとスタートし、４時間経過後に待機時間経過情報を制御部１２に出力する。制御部１２は、待機時間経過情報が入力されると、制御トランジスタ９の導通状態を制御して電池２の充電を開始させる。２時間後には、電池２の充電が完了状態となる。この場合、電池電圧Ｖｂは３．２Ｖから充電され、充電完了時、４．２Ｖとなる。充電待機時間では、充電制御信号ＣｓがＨｉｇｈレベルとなり、制御トランジスタ９がＯＦＦとされ、システム電源電圧Ｖｓは充電回路部６１より定電圧供給（４．２Ｖ）される。充電待機時間経過後は、充電制御信号ＣｓがＬｏｗレベルとなり、制御トランジスタ９がＯＮとされ、システム電源電圧Ｖｓは電池電圧Ｖｂが供給される。
【００３６】
＜実施例２＞
本実施例では、電池２の残容量が多い場合の一例を示す。電池電圧Ｖｂは３．７Ｖから充電される。
図４に示すように、時刻（0:00）に外部電源３を接続したとき、制御部１２は、電池残容量から予定充電時間（１．５時間）を算出する。そして、制御部１２は、外部電源３の接続時刻（0:00）から充電完了設定時刻（6:00）までの６時間は予定充電時間（１．５時間）より長いので、充電待機時間は４．５時間と算出し、待機時間情報をタイマー部１１１に出力する。タイマー部１１１は、待機時間情報が入力されるとスタートし、４．５時間経過後に待機時間経過情報を制御部１２に出力する。制御部１２は、待機時間経過情報が入力されると、制御トランジスタ９の導通状態を制御して電池２の充電を開始させる。１．５時間後には、電池２の充電が完了状態となる。充電開始時間は図３と比較し３０分遅くなったことになる。
【００３７】
＜実施例３＞
本実施例では、充電完了設定時刻と充電用入力端子４、５にＡＣアダプタ３２を接続した時刻とを減算した時間が予定充電時間と等しい場合の一例を示す。
図５に示すように、時刻（0:00）に外部電源３を接続したとき、制御部１２は、電池残容量から予定充電時間（２時間）を算出する。そして、制御部１２は、外部電源３の接続時刻（0:00）から充電完了設定時刻（2:00）までの２時間は予定充電時間（２時間）と等しいので、充電待機時間は０時間と算出する。そのため、制御部１２は、待機時間情報をタイマー部１１１に出力せず、すぐに制御トランジスタ９の導通状態を制御して電池２の充電を開始させる。２時間後には、電池２の充電が完了状態となる。外部電源３の接続時刻から充電完了設定時刻までの時間と、予定充電時間との比較結果が負の値となった場合も同様に、すぐに充電開始となる。
【００３８】
＜実施例４＞
本実施例では、充電完了設定時刻に対して余裕をもって電池２の充電が完了するように、制御部１２が制御トランジスタ９の導通状態を制御する一例を示す。
図６に示すように、時刻（0:00）に外部電源３を接続したとき、制御部１２は、電池残容量から予定充電時間（２時間）を算出する。そして、制御部１２は、外部電源３の接続時刻（0:00）から充電完了設定時刻（7:00）までの７時間は予定充電時間（２時間）より長いので、充電完了時刻を6:00とし、充電待機時間を４時間と算出する。さらに制御部１２は、待機時間情報をタイマー部１１１に出力する。タイマー部１１１は、待機時間情報が入力されるとスタートし、４時間経過後に待機時間経過情報を制御部１２に出力する。制御部１２は、待機時間経過情報が入力されると、制御トランジスタ９の導通状態を制御して電池２の充電を開始させる。２時間後には、電池２の充電が完了状態となる。
【符号の説明】
【００３９】
１  充電回路
２  電池
３  外部電源、３１  電源供給部、３２  ＡＣアダプタ
４、５  充電用入力端子
６  電源制御回路部、６１  充電回路部、６２  電源回路部
７、８  電源用入力端子
９  制御トランジスタ
１０  電池容量測定部、１０１  抵抗、１０２  測定部
１１  時刻設定部、１１１  タイマー部
１２  制御部
Ｃｓ  充電制御信号
Ｖｂ  電池電圧
Ｖｓ  システム電源電圧
【図１】
2010246176.tif 000003
【図２】
2010246176.tif 000004
【図３】
2010246176.tif 000005
【図４】
2010246176.tif 000006
【図５】
2010246176.tif 000007
【図６】
2010246176.tif 000008
【図７】
2010246176.tif 000009
【図８】
2010246176.tif 000010